(57)【要約】【課題】複数の再生機器の間を切り替える際に意図せずにコンテンツの再生が進行してしまうことを抑制する。【解決手段】複数の再生機器に接続可能な表示機器であって、表示部と、表示部を制御する表示制御部と、を備える。表示制御部は、表示部において複数の再生機器のうちの一つの再生機器で再生中のコンテンツを表示するコンテンツ表示画面から、利用者の指示に応じて複数の再生機器のいずれかを選択する再生機器選択画面に切り替える際に、利用者からの再生停止の指示を受けることなく、特定のイベントに応じて一つの再生機器の再生を停止させる。【選択図】図４
2018182355.tif 000002
【特許請求の範囲】
【請求項１】
複数の再生機器に接続可能な表示機器であって、
表示部と、
前記表示部を制御する表示制御部と、
を備え、
前記表示制御部は、
前記表示部において前記複数の再生機器のうちの一つの再生機器で再生中のコンテンツを表示するコンテンツ表示画面から、利用者の指示に応じて前記複数の再生機器のいずれかを選択する再生機器選択画面に切り替える際に、前記利用者からの再生停止の指示を受けることなく、特定のイベントに応じて前記一つの再生機器の再生を停止させる、
表示機器。
【請求項２】
請求項１に記載の表示機器において、
前記表示制御部は、更に、前記一つの再生機器の再生を停止させ、前記再生機器選択画面上で選択された他の一つの再生機器にコンテンツを再生させて前記表示部に表示する、
表示機器。
【請求項３】
請求項１又は請求項２に記載の表示機器において、
前記特定のイベントは、前記表示部において前記コンテンツ表示画面から前記再生機器選択画面に切り替える動作である、
表示機器。
【請求項４】
請求項２に記載の表示機器において、
前記特定のイベントは、前記再生機器選択画面において、前記他の一つの再生機器を選択する動作である、
表示機器。
【請求項５】
複数の再生機器に接続可能な表示機器における再生制御方法であって、
前記複数の再生機器のうちの一つの再生機器で再生中のコンテンツを表示するコンテンツ表示画面から、利用者の指示に応じて前記複数の再生機器のいずれかを選択する再生機器選択画面に切り替える際に、前記利用者からの再生停止の指示を受けることなく、特定のイベントに応じて前記一つの再生機器の再生を停止させるステップを含む、
再生制御方法。
【請求項６】
請求項５に記載の再生制御方法において、前記ステップは、
前記一つの再生機器の再生を停止させ、前記再生機器選択画面上で選択された他の一つの再生機器にコンテンツを再生させて表示するステップを含む、
再生制御方法。
【請求項７】
請求項５又は請求項６に記載の再生制御方法において、
前記特定のイベントは、前記コンテンツ表示画面から前記再生機器選択画面に切り替える動作である、
再生制御方法。
【請求項８】
請求項６に記載の再生制御方法において、
前記特定のイベントは、前記再生機器選択画面において、前記他の一つの再生機器を選択する動作である、
再生制御方法。
【発明の詳細な説明】
【技術分野】
【０００１】
本発明は、接続された再生機器の再生動作を制御する表示機器およびその制御方法に関するものである。
【背景技術】
【０００２】
特許文献１には、表示装置とコンテンツの再生制御方法が開示されている。この表示装置は、コンテンツを提供可能な外部機器で再生中のコンテンツが利用者の指示によって停止又は一時停止された後、再生再開に必要な情報を取得して記憶する。その後、利用者が再生再開を指示したときに、表示装置は記憶した再生再開情報に基づいてコンテンツの情報を表示パネルに表示する。
【先行技術文献】
【特許文献】
【０００３】
【特許文献１】特開２００９−２５９３４５号公報
【発明の概要】
【発明が解決しようとする課題】
【０００４】
上記従来技術では、外部機器（再生機器）に対する再生又は停止の制御は利用者の指示に従って行われる。しかしながら、一つの表示装置に複数の再生機器が接続される場合がほとんどである。再生機器の間を切り替える際、利用者が前の再生機器で再生していたコンテンツを意図的に停止しなければ、切り替えの前後でコンテンツの再生が進行してしまうという問題がある。
【課題を解決するための手段】
【０００５】
本発明は、上述の課題の少なくとも一部を解決するためになされたものであり、以下の形態として実現することが可能である。
【０００６】
（１）本発明の一形態によれば、複数の再生機器に接続可能な表示機器が提供される。この表示機器は、表示部と、前記表示部を制御する表示制御部と、を備える。前記表示制御部は、前記表示部において前記複数の再生機器のうちの一つの再生機器で再生中のコンテンツを表示するコンテンツ表示画面から、利用者の指示に応じて前記複数の再生機器のいずれかを選択する再生機器選択画面に切り替える際に、前記利用者からの再生停止の指示を受けることなく、特定のイベントに応じて前記一つの再生機器の再生を停止させる。
この形態の表示機器によれば、表示制御部が表示部においてコンテンツ表示画面から再生機器選択画面に切り替える際に再生機器の再生を停止させるので、切り替えの前後で意図せずにコンテンツの再生が進行してしまうことを抑制できる。
【０００７】
（２）上記形態の表示機器において、前記表示制御部は、更に、前記一つの再生機器の再生を停止させ、前記再生機器選択画面上で選択された他の一つの再生機器にコンテンツを再生させて前記表示部に表示するようにしてもよい。
この形態の表示機器によれば、一つの再生機器の再生を停止させるとともに他の一つの再生機器にコンテンツを再生させて表示するので、再生機器の切り替えをスムーズに行うことができる。
【０００８】
（３）上記形態の表示機器において、前記特定のイベントは、前記表示部において前記コンテンツ表示画面から前記再生機器選択画面に切り替える動作であってもよい。
この形態の表示機器によれば、表示制御部が表示部においてコンテンツ表示画面から再生機器選択画面に切り替える動作に応じて再生機器の再生を停止させるので、再生機器選択画面上で他の再生機器を選択している間に意図せずにコンテンツの再生が進行してしまうことを抑制できる。
【０００９】
（４）上記形態の表示機器において、前記特定のイベントは、前記再生機器選択画面において、前記他の一つの再生機器を選択する動作であってもよい。
この形態の表示機器によれば、表示制御部が他の再生機器を選択する動作に応じて再生機器の再生を停止させるので、他の再生機器を選択した後に意図せずにコンテンツの再生が進行してしまうことを抑制できる。
【００１０】
本発明は、上記以外の種々の形態で実現することも可能である。例えば、表示機器における再生制御方法等の形態で実現することができる。
【図面の簡単な説明】
【００１１】
【図１】第１実施形態における表示機器の概略構成図。
【図２】表示機器の構成を示すブロック図。
【図３】表示部におけるコンテンツ表示画面の様子を示す図。
【図４】再生機器選択ボタンを押した後の再生機器選択画面の様子を示す図。
【図５】移動ボタンを押した後の再生機器選択画面の様子を示す図。
【図６】決定ボタンを押した後のコンテンツ表示画面の様子を示す図。
【図７】再生機器の間を切り替える際のフローチャート。
【図８】第２実施形態の表示部におけるコンテンツ表示画面の様子を示す図。
【図９】再生機器選択ボタンを押した後の再生機器選択画面の様子を示す図。
【図１０】移動ボタンを押した後の再生機器選択画面の様子を示す図。
【図１１】決定ボタンを押した後のコンテンツ表示画面の様子を示す図。
【図１２】第２実施形態における再生機器の間を切り替える際のフローチャート。
【発明を実施するための形態】
【００１２】
・第１実施形態：
図１は、本発明の第１実施形態における表示機器１００と複数の再生機器２００〜４００の概略構成図である。表示機器１００は、複数の再生機器２００〜４００に接続され、再生機器２００〜４００で再生中のコンテンツを表示するための機器である。図１の例では、表示機器１００は、プロジェクターを採用している。この他、例えばＴＶやモニター、ＰＣ等も表示機器１００として採用可能である。表示機器１００で表示されたコンテンツの映像は、スクリーン９００に投写される。
【００１３】
表示機器１００と再生機器２００〜４００との接続は、例えばＨＤＭＩ（High Definition Multimedia Interface：登録商標）規格や、ＭＨＬ（Mobile High-definition Link）規格に準拠する。なお、表示機器１００は、複数の再生機器２００〜４００の再生動作を制御可能な機器制御プロトコルに準拠している。機器制御プロトコルとしては、例えばＨＤＭＩ規格に対応したＣＥＣ（Consumer Electronics Control）や、ＭＨＬ規格に対応したＲＣＰ（Remote Control Protocol）が採用される。
【００１４】
複数の再生機器２００〜４００は、コンテンツを再生するための機器であり、表示機器１００と同一の機器制御プロトコルに準拠している。図１の例では、再生機器２００はＢＤプレーヤー（ブルーレイディスクプレーヤー）であり、再生機器３００はＤＶＤプレイヤーであり、再生機器４００はタブレットＰＣである。なお、この例では、再生機器２００〜４００が有線で表示機器１００と接続しているが、無線で表示機器１００と接続してもよい。
【００１５】
再生機器２００〜４００は、再生中のコンテンツの映像データを表示機器１００に送信する一方、表示機器１００からの制御信号によって再生動作を制御される。具体的には、表示機器１００が後述する特定のイベントに応じて再生機器２００〜４００に制御信号を送信してコンテンツの停止又は再生を制御する。なお、利用者はリモートコントローラー５００を介して表示機器１００に指示を出すことによって、複数の再生機器２００〜４００の１つを任意に選択して、そのコンテンツを表示機器１００に表示させることができる。
【００１６】
図２は、表示機器１００の構成を示すブロック図である。表示機器１００は、表示部１１０と、表示部１１０を制御する表示制御部１２０と、フレームメモリー１３０と、外部インターフェース装置１４０とを備える。
【００１７】
外部インターフェース装置１４０は、再生機器２００〜４００と接続しており、各再生機器２００〜４００から送信された再生中のコンテンツの映像データを受け付けて、表示制御部１２０に送信する。また、外部インターフェース装置１４０は、表示制御部１２０からの制御信号を各再生機器２００〜４００に送信する。
【００１８】
表示制御部１２０は、例えばマイクロコンピューターによって構成され、外部インターフェース装置１４０で受信したコンテンツの映像データをフレームメモリー１３０に書き込む処理を実行する。また、フレームメモリー１３０に書き込まれたデータを表示部１１０に送信して表示させる。なお、表示制御部１２０は、後述する特定のイベントに応じて再生機器２００〜４００を制御するための制御信号を、機器制御プロトコルに従って外部インターフェース装置１４０に送信する。また、表示制御部１２０は、リモートコントローラー５００（図１）からの指示を受けて動作可能である。
【００１９】
表示部１１０は、表示制御部１２０から送信されたコンテンツの映像データを表示するとともに、表示されたコンテンツの映像をスクリーン９００（図１）に投写する。表示部１１０は、照明光学系と、色光分離光学系と、光の３原色（赤（Ｒ）、緑（Ｇ）、青（Ｂ））のそれぞれに対応する光変調部としての３つの透過型の液晶パネル部と、ダイクロイックプリズムと、投写光学系と、によって構成されている。照明光学系によって射出された白色光が、色光分離光学系によって、赤、緑、青の３つの色光に分離される。分離された３つの色光は、色光分離光学系によって液晶パネル部に導かれて、画像を表す画像光へと変調される。ダイクロイックプリズムが変調された３つの画像光を合成し、投写光学系は、合成された画像光をスクリーン９００に投写する。なお、表示部１１０の投写表示方式として、上述した液晶方式を用いる代わりに、ＤＬＰ（登録商標）方式を用いてもよい。
【００２０】
図３、図４、図５、図６は、利用者の指示によって再生機器２００から再生機器３００に切り替える際の表示部１１０の様子を示す図である。図示の便宜上、図３、図４、図５にはリモートコントローラー５００を描いており、利用者が操作したボタンをハッチングしている。
【００２１】
図３は、切り替える前の表示部１１０におけるコンテンツ表示画面ＣＤＳの様子を示す図である。表示部１１０において、複数の再生機器２００〜４００のうちの一つの再生機器２００で再生中のコンテンツの映像Ｍ２００を表示するコンテンツ表示画面ＣＤＳが表示されている。利用者がリモートコントローラー５００の再生機器選択ボタン５１０を押すと、複数の再生機器２００〜４００のいずれかを選択する再生機器選択画面に切り替える。
【００２２】
図４は、表示部１１０における再生機器選択画面ＤＸＳの様子を示す図である。再生機器選択画面ＤＸＳには、各再生機器２００〜４００の名称が書かれた再生機器選択リストＣＬが映像Ｍ２００の一部の領域に上書き表示されている。また、コンテンツ表示画面ＣＤＳが再生機器選択画面ＤＸＳに切り替わると同時に、再生機器２００が表示機器１００の制御信号を受けて再生を停止し、映像Ｍ２００が静止する。コンテンツ表示画面ＣＤＳから再生機器選択画面ＤＸＳに切り替えた状態では、黒の太線で示した選択表示枠ＣＦがこれまで映像Ｍ２００を再生していた再生機器２００の位置にある。利用者はリモートコントローラー５００の移動ボタン５２１，５２２を操作することによって選択表示枠ＣＦを上下に移動させることができる。図４の例では、利用者は下方の移動ボタン５２２を押す。
【００２３】
図５に示すように、利用者がリモートコントローラー５００の下方の移動ボタン５２２を押すと、選択表示枠ＣＦが再生機器３００の位置に移動する。次に、利用者がリモートコントローラー５００の決定ボタン５３０を押すと、再生機器３００が選択される。
【００２４】
再生機器３００が選択されると、図６に示すように、再生機器３００が表示機器１００の制御信号を受けてコンテンツを再生し、表示部１１０の画面は再生機器３００で再生中のコンテンツの映像Ｍ３００が表示されるコンテンツ表示画面ＣＤＳとなる。なお、第１実施形態では、コンテンツ表示画面ＣＤＳから再生機器選択画面ＤＸＳに切り替えた後に利用者が再生機器３００を選択しないものとしてもよい。また、表示機器１００は、再生機器３００が選択された後にコンテンツを再生させなくてもよい。但し、再生機器２００の再生を停止させるとともに再生機器３００にコンテンツを再生させて表示部１１０に表示すれば、再生機器２００と再生機器３００との間の切り替えをスムーズに行うことができる。
【００２５】
図７は、図３から図６に示す再生機器２００から再生機器３００に切り替える際のフローチャートである。ステップＳ１００において、利用者は、リモートコントローラー５００の再生機器選択ボタン５１０（図３）を押すことによって、表示機器１００の表示制御部１２０（図２）に再生機器選択画面ＤＸＳの表示指示を出す。
【００２６】
ステップＳ２００において、表示制御部１２０は、利用者の指示に応じてコンテンツ表示画面ＣＤＳから再生機器選択画面ＤＸＳに切り替えると同時に、利用者からの停止の指示を受けることなく、再生機器２００の再生を停止させる。すなわち、表示制御部１２０は、特定のイベントであるコンテンツ表示画面ＣＤＳから再生機器選択画面ＤＸＳに切り替える動作に応じて、再生機器２００に停止制御信号を送信してコンテンツの再生を停止させる。表示制御部１２０は、例えば、再生機器２００が準拠する機器制御プロトコルがＣＥＣの場合には、User Control PressedコマンドにPauseコードを指定して送信し、再生機器２００が準拠する機器制御プロトコルがＲＣＰの場合には、PauseキーIDを指定して送信する。停止制御信号を受信した再生機器２００は、コンテンツの再生を停止する。
【００２７】
ステップＳ３００において、利用者は、リモートコントローラー５００の下方の移動ボタン５２２（図４）を押して決定ボタン５３０（図５）を押すことによって、再生機器選択画面ＤＸＳ上で再生機器３００を選択し、表示制御部１２０に選択決定の指示を出す。ステップＳ４００において、表示制御部１２０は、選択決定指示に応じて再生機器３００を選択するとともに、利用者からの再生の指示を受けることなく、ステップＳ５００に移行して再生機器３００にコンテンツを再生させて表示部１１０（図２）に表示する。
【００２８】
ステップＳ５００において、表示制御部１２０は、再生機器３００に再生制御信号を送信してコンテンツを再生させる。表示制御部１２０は、例えば、再生機器３００が準拠する機器制御プロトコルがＣＥＣの場合には、User Control PressedコマンドにPlayコードを指定して送信し、再生機器３００が準拠する機器制御プロトコルがＲＣＰの場合には、PlayキーIDを指定して送信する。再生制御信号を受信した再生機器３００は、コンテンツの再生を開始する。なお、再生機器３００は、再生制御信号を受信する前に電源オフの場合には、再生制御信号に応じて起動し、コンテンツを再生する。また、再生機器３００は、再生制御信号に応じてデフォルトのコンテンツを再生してもよく、お試し再生を実行してもよい。
【００２９】
なお、表示制御部１２０は、表示機器１００に接続された各再生機器２００〜４００が起動するときに、各再生機器２００〜４００が機器制御プロトコルに準拠するか否かを判定するために、各再生機器２００〜４００にポーリングを行う。このポーリングに対する応答があった場合には、当該再生機器が機器制御プロトコルに準拠すると判定する。
【００３０】
以上説明したように、第１実施形態では、表示制御部１２０が表示部１１０においてコンテンツ表示画面ＣＤＳから再生機器選択画面ＤＸＳに切り替える際に再生機器２００の再生を停止させるので、切り替えの前後で意図せずに映像Ｍ２００の再生が進行してしまうことを抑制できる。また、コンテンツ表示画面ＣＤＳから再生機器選択画面ＤＸＳに切り替えると同時に再生機器２００の再生が停止するので、再生機器選択画面ＤＸＳ上で再生機器３００を選択している間に意図せずに映像Ｍ２００の再生が進行してしまうことを抑制できる。
【００３１】
・第２実施形態：
図８、図９、図１０、図１１は、第２実施形態における再生機器２００から再生機器３００に切り替える際の表示部１１０の様子を示す図であり、図８は図３に対応し、図９は図４に対応し、図１０は図５に対応し、図１１は図６に対応している。第１実施形態と比べて、再生機器２００の再生を停止するタイミングが異なり、すなわち、図９と図１０に示す映像Ｍ２００がそれぞれ図４と図５に示す映像Ｍ２００と異なり、他の構成は第１実施形態とほぼ同様である。
【００３２】
図８から図９の過程において、利用者が再生機器選択ボタン５１０を押してコンテンツ表示画面ＣＤＳから再生機器選択画面ＤＸＳに切り替えたタイミングでは、再生機器２００が再生を停止せず、映像Ｍ２００が静止しない。その後、図１０において、利用者が決定ボタン５３０を押して再生機器３００が選択されると同時に、再生機器２００が表示機器１００の制御信号を受けて再生を停止し、映像Ｍ２００が静止する。これとともに、再生機器３００が表示機器１００の制御信号を受けてコンテンツを再生し、図１１に示すように表示部１１０の画面は再生機器３００で再生中のコンテンツの映像Ｍ３００が表示されるコンテンツ表示画面ＣＤＳとなる。
【００３３】
図１２は、図８から図１１に示す再生機器２００から再生機器３００に切り替える際のフローチャートであり、図７に対応した図である。図７に示す第１実施形態と比べて、ステップＳ２０５及びステップＳ４０５が異なり、他の構成は第１実施形態とほぼ同様である。
【００３４】
図１２では、ステップＳ２０５において、表示制御部１２０は、利用者の指示に応じてコンテンツ表示画面ＣＤＳから再生機器選択画面ＤＸＳに切り替える。このときは、表示制御部１２０は、再生機器２００の再生を停止させない。ステップＳ４０５において、表示制御部１２０は、利用者からの選択決定指示に応じて再生機器３００を選択すると同時に、利用者からの停止の指示を受けることなく、再生機器２００の再生を停止させる。すなわち、表示制御部１２０は、特定のイベントである再生機器３００を選択する動作に応じて、再生機器２００に停止制御信号を送信してコンテンツの再生を停止させる。これとともに、利用者からの再生の指示を受けることなく、ステップＳ５００に移行して再生機器３００にコンテンツを再生させて表示部１１０（図２）に表示する。
【００３５】
第２実施形態においても、表示制御部１２０が表示部１１０においてコンテンツ表示画面ＣＤＳから再生機器選択画面ＤＸＳに切り替える際に再生機器２００の再生を停止させるので、切り替えの前後で意図せずに映像Ｍ２００の再生が進行してしまうことを抑制できる。また、再生機器３００が選択されると同時に再生機器２００の再生が停止するので、再生機器３００を選択した後に意図せずに映像Ｍ２００の再生が進行してしまうことを抑制できる。
【００３６】
なお、上述第１実施形態と第２実施形態から分かるように、「コンテンツ表示画面ＣＤＳから再生機器選択画面ＤＸＳに切り替える際」とは、コンテンツ表示画面ＣＤＳから再生機器選択画面ＤＸＳに切り替える時、及び、コンテンツ表示画面ＣＤＳから再生機器選択画面ＤＸＳに切り替えてから再生機器３００が選択される時、の両方を含む。
【００３７】
本発明は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００３８】
１００…表示機器、１１０…表示部、１２０…表示制御部、１３０…フレームメモリー、１４０…外部インターフェース装置、２００〜４００…再生機器、５００…リモートコントローラー、５１０…再生機器選択ボタン、５２１，５２２…移動ボタン、５３０…決定ボタン、９００…スクリーン、ＣＤＳ…コンテンツ表示画面、ＣＦ…選択表示枠、ＣＬ…再生機器選択リスト、ＤＸＳ…再生機器選択画面、Ｍ２００…映像、Ｍ３００…映像
【図１】
2018182355.tif 000003
【図２】
2018182355.tif 000004
【図３】
2018182355.tif 000005
【図４】
2018182355.tif 000006
【図５】
2018182355.tif 000007
【図６】
2018182355.tif 000008
【図７】
2018182355.tif 000009
【図８】
2018182355.tif 000010
【図９】
2018182355.tif 000011
【図１０】
2018182355.tif 000012
【図１１】
2018182355.tif 000013
【図１２】
2018182355.tif 000014